(57)【要約】【課題】静かな状態で、変化に富んだ刺激感のある噴流マッサージを受けることができるマッサージ装置付き浴槽装置を提供する。【解決手段】浴槽水の吸入口が浴槽壁に形成された浴槽本体と、吸入口から浴槽水を吸入し加圧する加圧装置と、加圧装置から送られる浴槽水が導入されこの導入された浴槽水のみが内部で動くことによる浴槽水自らの流動作用にて該浴槽水を噴出方向を変化させながら浴槽本体に貯留された浴槽水中に噴出させる噴出口を有する噴流ノズルと、加圧装置の駆動音が浴槽装置外に伝播することを抑制する駆動音抑制手段とを備え、吸入口と噴流ノズルの噴出口との間の流路は大気との連通口に通じず、噴流ノズルは実質気泡を有しない噴流を浴槽水中に噴出する。【選択図】図１
2008264282.tif 000002
【特許請求の範囲】
【請求項１】
浴槽水中に噴出する噴流を利用したマッサージ装置付き浴槽装置であって、
浴槽水の吸入口が浴槽壁に形成された浴槽本体と、
前記吸入口から浴槽水を吸入し加圧する加圧装置と、
前記加圧装置から送られる浴槽水が導入され、この導入された浴槽水のみが内部で動くことによる浴槽水自らの流動作用にて該浴槽水を噴出方向を変化させながら前記浴槽本体に貯留された浴槽水中に噴出させる噴出口を有する噴流ノズルと、
前記加圧装置の駆動音が前記浴槽装置外に伝播することを抑制する駆動音抑制手段と、を備え、
前記吸入口と前記噴流ノズルの噴出口との間の流路は、大気との連通口に通じず、
前記噴流ノズルは、実質気泡を有しない噴流を浴槽水中に噴出することを特徴とするマッサージ装置付き浴槽装置。
【請求項２】
前記噴流ノズルは、
前記加圧装置から送られる浴槽水が導入される流水導入部と、
前記流水導入部より下流側で前記流水導入部に連通し、前記流水導入部に対して流路断面が縮小された流路断面収縮部と、
前記流路断面収縮部より下流側で前記流路断面収縮部に連通し、前記流路断面収縮部に対して流路断面が急拡大された流路断面急拡大部と、
を有することを特徴とする請求項１記載のマッサージ装置付き浴槽装置。
【請求項３】
前記加圧装置は、前記浴槽本体のリム下における浴槽壁の外側の空間に設けられたことを特徴とする請求項１または２に記載のマッサージ装置付き浴槽装置。
【請求項４】
前記駆動音抑制手段は、前記加圧装置と前記浴槽本体との間に設けられた防音部材を有することを特徴とする請求項１〜３のいずれか１つに記載のマッサージ装置付き浴槽装置。
【請求項５】
前記駆動音抑制手段は、前記加圧装置とその設置面との間に設けられた防振部材を有することを特徴とする請求項１〜４のいずれか１つに記載のマッサージ装置付き浴槽装置。
【発明の詳細な説明】
【技術分野】
【０００１】
本発明は、浴槽水中に噴出する噴流を利用したマッサージ装置付き浴槽装置に関する。
【背景技術】
【０００２】
従来、浴槽壁に噴流ノズルを設けて、そのノズルから噴流を浴槽水中に噴出させるものがあり、例えば、特許文献１には、ポンプによって循環される管路からの水の流れがノズル部によって流速を速められて生じる負圧力によって空気吸入管からの空気を吸い込み、水流に混合させて気泡入り噴出流を浴槽内に噴出させる気泡噴出装置が開示されている。しかし、このような気泡噴流浴に際しては、気泡発泡音や空気を吸入する際に発生する音がうるさく、静かにリラックスして入浴できる環境にはなかった。また、気泡噴流に要する音が大きいため、ポンプ騒音はそれほど気にならず、ポンプ騒音に着目する観点はなかった。
【０００３】
特許文献２には、気泡を混入しない噴流発生装置が開示されているが、気泡無しの噴流では刺激が弱いため、噴流に給湯器からの湯を混ぜ刺激感の向上を試みている。しかし、噴流の噴出方向は自動的に変化せず、同一方向にのみ噴出し、入浴者が刺激に馴化し、飽きをまねきやすい。また、特許文献２には、噴流浴中の騒音に着目する記載及び示唆はみられない。
【０００４】
また、特許文献３にも、無気泡タイプの水流マッサージ装置が開示されており、ジェットポンプ効果によって浴槽水を加速し、強い水勢で浴槽内に噴出させている。しかし、特許文献３においても、噴流の噴出方向は自動的に変化せず、同一方向にのみ噴出し、入浴者が刺激に馴化し、飽きをまねきやすい。また、特許文献３にも、噴流浴中の騒音に着目する記載及び示唆はみられない。
【特許文献１】特開平４−６１８５９号公報
【特許文献２】特開２００１−４６４５４号公報
【特許文献３】特開２００５−１１８４３４号公報
【発明の開示】
【発明が解決しようとする課題】
【０００５】
本発明は、静かな状態で、変化に富んだ刺激感のある噴流マッサージを受けることができるマッサージ装置付き浴槽装置を提供する。
【課題を解決するための手段】
【０００６】
本発明の一態様によれば、浴槽水中に噴出する噴流を利用したマッサージ装置付き浴槽装置であって、浴槽水の吸入口が浴槽壁に形成された浴槽本体と、前記吸入口から浴槽水を吸入し加圧する加圧装置と、前記加圧装置から送られる浴槽水が導入され、この導入された浴槽水のみが内部で動くことによる浴槽水自らの流動作用にて該浴槽水を噴出方向を変化させながら前記浴槽本体に貯留された浴槽水中に噴出させる噴出口を有する噴流ノズルと、前記加圧装置の駆動音が前記浴槽装置外に伝播することを抑制する駆動音抑制手段と、を備え、前記吸入口と前記噴流ノズルの噴出口との間の流路は、大気との連通口に通じず、前記噴流ノズルは、実質気泡を有しない噴流を浴槽水中に噴出することを特徴とするマッサージ装置付き浴槽装置が提供される。
【発明の効果】
【０００７】
本発明によれば、静かな状態で、変化に富んだ刺激感のある噴流マッサージを受けることができるマッサージ装置付き浴槽装置が提供される。
【発明を実施するための最良の形態】
【０００８】
以下、図面を参照し、本発明の実施形態について説明する。
【０００９】
図１は、本発明の実施形態に係るマッサージ装置付き浴槽装置が配設される浴室の一例を表す模式図である。  
図２は、本発明の実施形態に係るマッサージ装置付き浴槽装置の概略構成を表す模式平面図である。  
図３は、同マッサージ装置付き浴槽装置において浴槽本体を側面方向から見た模式図である。
【００１０】
本実施形態に係るマッサージ装置付き浴槽装置は、主として、浴槽本体１と、ポンプ７や噴流ノズル１１などから構成されるマッサージ装置とに大別される。
【００１１】
浴槽本体１は、図１に表すように、洗い場床１０１の隣に設けられた床パン１０２上に載置される。浴槽本体１の上縁部には、外側にフランジ状に張り出した浴槽リム２が設けられている。浴槽本体１と洗い場との間にはエプロン１０３が配設され、エプロン１０３は、浴槽リム２の下から洗い場床１０１の縁部にまで延在し、浴槽本体１における洗い場側の浴槽壁を覆っている。
【００１２】
図２に表すように、浴槽本体１は、略平行に相対向する一対の長辺側浴槽壁３ａ、３ｂと、略平行に相対向する一対の短辺側浴槽壁４ａ、４ｂとを有する。
【００１３】
長辺側浴槽壁３ｂには吸入口５が形成されている。加圧装置であるポンプ７が駆動されると、浴槽本体１に貯留された浴槽水（湯も含む）は吸入口５を介して流路１３へと吸い込まれる。
【００１４】
流路１３の一端は吸入口５に接続され、他端はポンプ７の吸入口に接続されている。流路１４の一端はポンプ７の吐出口に接続され、他端は噴流ノズル１１の流水導入口に接続されている。ポンプ７は、吸入口５から流路１３内に浴槽水を吸い込むと共に、その吸い込んだ浴槽水を加圧してポンプ７の下流側の流路１４に吐出する。このポンプ７から吐出された加圧浴槽水は、噴流ノズル１１の流水導入口に流入する。
【００１５】
使用していないときに、ポンプ７内部の残留水を抜くために、ポンプ７は吸入口５よりも上方に設けることが望ましい。また、浴槽水排水時に、流路１３内の残水が吸入口５を介して排水できるように、流路１３は図３に表すようにポンプ７側から吸入口５に向けて下り勾配とされることが望ましい。
【００１６】
吸入口５は浴槽本体１の底面に形成してもよいが、この場合前述した流路１３の排水勾配をつけにくいため、吸入口５は浴槽壁に形成することが望ましい。また、一般に、入浴者は、一対の短辺側浴槽壁のうちの一方に背をもたれかけて、他方の短辺側浴槽壁に足を向けた姿勢で入浴するため、吸入口５を短辺側浴槽壁に形成した場合には、入浴者の背中や足裏で吸入口５がふさがれポンプ７に過剰の負荷がかかることが懸念される。したがって、吸入口５は、浴槽壁の中でも、入浴者の身体の一部等によってふさがれにくい長辺側浴槽壁に形成するのが望ましい。
【００１７】
図２に表すように、一方の短辺側浴槽壁４ａには、例えば２つの噴流ノズル１１が取り付けられている。２つの噴流ノズル１１は、略同じ高さ（本実施形態では、浴槽本体１の底面から概ね２３０（ｍｍ））に所定距離隔てて（本実施形態では、２つの噴流ノズル１１間の距離は概ね１６０（ｍｍ）で、且つ、２つの噴流ノズル１１の設置位置の中心と短辺側浴槽壁４ａ方向の中央部が一致するように）設けられている。噴流ノズル１１が取り付けられた一方の短辺側浴槽壁４ａの反対側の他方の短辺側浴槽壁４ｂの上方のリム２上には浴槽側水栓１１０（図１参照）が設けられる。したがって、通常、入浴者は自然と噴流ノズル１１が設けられた側の短辺側浴槽壁４ａに背中を向けた姿勢で入浴する。
【００１８】
図４は、ポンプ７設置箇所の模式図である。  
ポンプ７は、噴流ノズル１１が取り付けられた短辺側浴槽壁４ａ側のリム２下空間に設けられている。このポンプ７が設けられたリム下空間は、下方を床パン１０２、上方を浴槽リム２、四方の側方を、短辺側浴槽壁４ａ、浴室壁１０４、浴室壁１０５（図１参照）、エプロン１０３（図１参照）によって囲まれている。リム下空間にポンプ７を設置すると、吸入口５及び噴流ノズル１１と接続するための配管が短くて済み、配管を浴室外に出す必要がなく、限られた浴室設置スペースを有効に使うことができる。
【００１９】
ポンプ７は、図４に表すように、ポンプ架台（またはポンプ支持脚）４０を介して、床パン１０２上に設置されている。そのポンプ架台４０と、床パン１０２との間には防振部材４５が介在されている。防振部材４５は、例えばゴム、ゲル状物質等からなり、ポンプ７の駆動に伴う振動を遮断または吸収し、振動が、床パン１０２に伝わるのを抑制し、さらには床パン１０２を介してリム下空間の外部や浴槽本体１に伝わるのを抑制する。
【００２０】
短辺側浴槽壁４ａの外壁面には、防音部材３５が設けられている。この防音部材３５によって、短辺側浴槽壁４ａとポンプ７との間が隔てられている。防音部材３５は、例えば発泡スチロール、グラスファイバー等からなり、遮音または吸音性を有し、ポンプ７の駆動音が浴槽本体１に伝わるのを抑制する。また、防音部材３５として、内部が真空構造のものを用いてもよい。
【００２１】
防音部材３５、防振部材４５は、ポンプ７の駆動音が浴槽装置外に伝播することを抑制する駆動音抑制手段として機能する。ここで、「浴槽装置外」とは、浴室の外部はもちろん、浴室内における洗い場、浴室内における浴槽本体１のまわり（上方も含む）の空間（ただし、ポンプ７の設置箇所は除く）、さらには入浴者の入浴スペースである浴槽本体１の浴槽壁によって囲まれた空間も含む。したがって、「浴槽装置内」とは、ポンプ７の設置箇所（本実施形態では噴流ノズル１１が設けられた短辺側浴槽壁４ａ側のリム２下空間）を表し、駆動音抑制手段は、ポンプ７設置箇所の外部である前述の「浴槽装置外」への騒音伝播を抑制する。
【００２２】
次に、図５（ａ）は、噴流ノズル１１の模式断面図であり、図５（ｂ）は、図５（ａ）におけるＡ−Ａ断面図である。
【００２３】
噴流ノズル１１は、略円筒状の筒体２０を備え、その一端（上流端）には、ポンプ７の吐出側に接続された流路１４と連通される流水導入口２１が設けられ、他端（下流端）には噴出口２６が設けられている。
【００２４】
筒体２０は、噴出口２６を浴槽本体１の内部に臨ませて、短辺側浴槽壁４ａに保持されている。筒体２０は浴槽本体１のあふれ縁より下で、短辺側浴槽壁４ａに対して保持されている。ここで、「あふれ縁」とは、浴槽本体１内に浴槽水をためていったとき、最初に浴槽本体１内から溢れる部分の浴槽本体１の縁（またはリム）を意味する。このような構成のため、噴流ノズル１１からの噴流を浴槽水中に噴出させることができる。
【００２５】
噴流ノズル１１の噴出口２６は、他方の短辺側浴槽壁４ｂに向いている。流水導入口２１は、浴槽本体１の外側で、流路１４に接続されている。
【００２６】
流水導入口２１と噴出口２６との間の筒体２０内部には、上流側（流水導入口２１側）から順に、流水導入部２２、流路断面収縮部２３、チャンバー２５が設けられ、これらを介して流水導入口２１と噴出口２６との間は連通している。
【００２７】
流水導入部２２は、流水導入口２１と流路断面収縮部２３との間に設けられ、その流路断面は流水導入口２１から流路断面収縮部２３に向かうにしたがって徐々に狭められている。流路断面収縮部２３は、筒体２０の軸中心Ｃに位置し、流水導入口２１及び流水導入部２２に対して流路断面が縮小されている。
【００２８】
流路断面収縮部２３の下流側には、流路断面収縮部２３に対して流路断面が急拡大（例えば径が３倍以上急拡大された）された流路断面急拡大部２４を一端部（上流側端部）に有するチャンバー２５が設けられている。チャンバー２５は、流路断面急拡大部２４の内径寸法のまま噴出口２６近傍まで続いている。すなわち、チャンバー２５の上流側端部が流路断面急拡大部２４として機能し、チャンバー２５の下流側端部が噴出口２６として機能する。
【００２９】
流路断面収縮部２３から流路断面急拡大部２４にかけての筒体２０内空間を囲む壁面２３ａ、２４ａは略垂直に変化している。すなわち、流路断面収縮部２３まわりの壁面２３ａは、筒体２０の軸方向に対して略平行であるのに対して、流路断面急拡大部２４として機能するチャンバー２５の上流側端部の壁面２４ａは、壁面２３ａに対して略垂直に続いて径外方に広がって形成されている。この流路壁面の急変化により、後述するように流路断面急拡大部２４にて、壁面からの流れの剥離が生じる。
【００３０】
なお、壁面２４ａは、壁面２３ａに対して略垂直に広がっていることに限らず、流路断面急拡大部２４にて、流れの剥離が生じる程度に、下流側に向けて流路断面が拡径する漏斗（またはラッパ）状に形成されていてもよい。ただし、壁面２３ａに対して略垂直に続くように壁面２４ａが形成されている方が、流路断面急拡大部２４における流れの剥離を促進させやすい。
【００３１】
チャンバー２５の内壁面は、流路断面急拡大部２４から、噴出口２６の近傍に至るまでは筒体２０の軸中心Ｃに対して略平行に延在している。チャンバー２５の下流側において噴出口２６に続く内壁面は、筒体２０の軸中心Ｃに向けて傾斜された環状の傾斜面２８となっている。
【００３２】
噴出口２６近傍のチャンバー２５内には、噴出口２６へと通じるチャンバー２５内流路の一部を遮る遮蔽体２７が設けられている。
【００３３】
図６（ａ）は、遮蔽体２７が設けられた部分における筒体２０及びチャンバー２５の断面図であり、図６（ｂ）は図６（ａ）におけるＢ−Ｂ断面図である。
【００３４】
遮蔽体２７は円盤状に形成され、その中心を筒体２０の軸中心Ｃに一致させて、チャンバー２５の内部に設けられている。遮蔽体２７は、チャンバー２５内流路のすべてを遮蔽しておらず、遮蔽体２７とチャンバー２５の内壁部２５ｂとの間には、チャンバー２５から噴出口２６への流水の流れを許容する流路２５ａが確保されている。
【００３５】
遮蔽体２７は、遮蔽体２７とチャンバー２５の内壁部２５ｂとの間に放射状に設けられた３本の棒状の支持部３１を介してチャンバー２５の内壁部２５ｂに対して支持されている。支持部３１の一端は遮蔽体２７の内部に嵌入されて固定され、他端はチャンバー２５の内壁部２５ｂに形成された孔に嵌入されて固定されている。３本の支持部３１は、遮蔽体２７の外周面のまわりに周方向に沿って等間隔で設けられている。
【００３６】
遮蔽体２７は、流水導入口２１から導入されチャンバー２５を経て噴出口２６へと流れる加圧浴槽水の圧力（動圧）を受けるため、支持部３１が１本だけであると前記圧力に耐え得る十分な強度が得られず遮蔽体２７が外れてしまう可能性があり、支持部３１が２本だけであると、遮蔽体２７表面に作用する前記圧力が軸中心Ｃに対して非軸対称分布になることにより生じる支持部周りのモーメントの影響を受け、遮蔽体２７が回転してしまう可能性がある。したがって、支持部３１は、３本以上設けるのが望ましい。
【００３７】
以上説明したように構成される本実施形態に係るマッサージ装置付き浴槽装置において、浴槽本体１近傍に設けられた図示しないコントローラのスイッチを入浴者が操作すると、ポンプ７が起動し、浴槽本体１に貯留された浴槽水が吸入口５から流路１３内へと吸入される。この吸入された浴槽水は、ポンプ７にて加圧されて、流路１４を介して、噴流ノズル１１の流水導入口２１に導入される。噴流ノズル１１内に導入された加圧浴槽水は、以下に説明するように、噴出方向を不規則に変化させた旋回噴流として浴槽本体１に貯留された浴槽水中に噴出される。
【００３８】
図７（ａ）〜（ｄ）は、噴流ノズル１１にて旋回噴流が形成される作用を説明するための模式図である。
【００３９】
流水導入口２１から導入された加圧浴槽水は、流水導入部２２、流路断面収縮部２３および流路断面急拡大部２４を順に経てチャンバー２５内に噴流となって流入する。加圧浴槽水が、流路断面収縮部２３からチャンバー２５内に流入する際、流路断面の急拡大により、筒体２０内壁面に沿って流れることができなくなり、すなわち流路内壁面に対して流れの剥離が生じる。
【００４０】
一般的に、噴流は、外部流体との運動量交換により外部流体を加速し、噴流内部に巻き込む。このとき、噴流近傍に壁面が存在すると、外部流体を内部に引き込むように作用する引きつけ力の反作用により、噴流自身が壁面に向かって曲げられ、再び流れが壁面に沿うようになる。つまり、チャンバー２５の内壁面の周の一部に流れが再付着する。
【００４１】
チャンバー２５の内壁面に付着した主流は、そのままチャンバー２５内壁面に沿い、遮蔽体２７の外周面とチャンバー２５内壁面との間を噴出口２６に向かって流れ、噴出口２６の手前（上流側）で筒体２０の軸中心に向かうように傾斜して形成された傾斜面２８に沿って軸中心Ｃに対して傾斜した噴流として噴出口２６から浴槽水中に噴出する。
【００４２】
以上のようにして、噴流ノズル１１内に、主流（図７（ａ）において太線矢印ａで表す）が形成される。
【００４３】
流路断面収縮部２３に比べて噴出口２６の流路断面が大きく、流れは下流に向かって減速、すなわち、チャンバー２５内部では下流に向かって静圧が増加する逆圧力勾配が形成されること、さらにチャンバー２５内に流路の一部を遮るように遮蔽体２７が設けられていることによって、前述した主流の一部は、噴出口２６から噴出されず、図７（ｂ）において矢印ｂで表すように、チャンバー２５の上流側に戻される。
【００４４】
その上流側に戻された流れが、図７（ｃ）に表すように、流路断面急拡大部２４付近にて主流が剥離したよどみ領域に流れ込むことで、図７（ｄ）に表すように、流路断面急拡大部２４付近で中心軸Ｃまわりに旋回流が形成され、これにより、主流の内壁面に対する再付着位置が周方向で不規則に変化し、噴出口２６からは中心軸Ｃまわりに不規則に旋回した噴流が噴出される。
【００４５】
噴出流に気泡を混入させて噴出流を可視化した状態で、噴流ノズル１１から旋回噴流を噴出させた様子を、図８（ａ）〜（ｄ）の写真図に表す。
【００４６】
入浴者は、噴流ノズル１１から噴出される旋回噴流を、腰、背、肩、手、足等の身体の一部に受けることにより、マッサージ効果を得ることができる。噴流ノズル１１から噴出される噴流は、一般的に広く知られる気泡浴装置による細く強い直線的な噴流とは異なり、太くやわらかい旋回噴流であるため、腰を包み込む、背中、腰全体を押すようにもみほぐすなど、局所的に強い刺激感ではなく、広範囲をもみほぐすような手もみに近いマッサージ感を得ることができ、長時間入浴していても飽きがなくゆったりとリラックスできる。また、直線的な強い噴流を局所的に受ける場合には、所望の部位にその噴流を受けるべく姿勢を保つために緊張状態になりがちであったが、本実施形態の旋回噴流は広範囲にわたってやわらかい刺激を与えるため、入浴者に緊張を強いることなく、力を抜いたリラックスした状態にさせやすい。
【００４７】
噴流ノズル１１は、内部に導入された浴槽水自らが、前述したようにチャンバー２５内での還流作用によって、噴出口２６から噴出される噴流の旋回を励起する構成となっている。この噴出動作に際して噴流ノズル１１内部では、導入された加圧浴槽水のみが流動し、噴流ノズル１１自体には可動部や摺動部がなく、また、それら部品を可動させるためモータも不要であり、モータ駆動音、部品の可動・摺動音が発生せず、静音化できる。また、可動・摺動部分における摩耗やゴミ詰まりなどによる旋回性能低下の心配もない。
【００４８】
また、噴流ノズル１１内における作動流体自身の乱れにより噴流の旋回運動が形成されるため、不規則に旋回周波数が変化してゆらいでいる時間帯と、ほぼ一定周波数で旋回している時間帯と、旋回していない時間帯とが不規則に存在する。結果として特別な制御をしなくても自然なゆらぎを持った旋回噴流を実現することができる。これにより、人による手もみ感覚に近づけることができ、変化に富んだ旋回噴流刺激が得られ、飽きがこない。
【００４９】
噴流ノズル１１における筒体２０は一重構造である。すなわち、ひとつの筒体２０によって周囲が囲まれる単一空間（流路）内で、噴出口２６へと向かう主流、および主流とは逆方向に流れる還流が形成され、浴槽水中に旋回噴流として噴出される。したがって、構造が単純化され、安価に作製することができ、またメンテナンスも容易になる。さらには、目詰まりによる旋回性能低下の心配もない。
【００５０】
噴流ノズル１１から噴出される噴流は旋回しているので、気泡が混入されなくても、マッサージ感を受けるのに十分な刺激感が得られる。むしろ気泡混入では得られない水で押されるような手もみに近いマッサージ感が得られる。
【００５１】
また、噴流に気泡を混入しないため、吸入口５と噴流ノズル１１の噴出口２６との間の流路は、大気との連通口（空気取り入れ口）に通じていない。この結果、空気が浴槽水の循環流路内に取り込まれる際の音や、気泡発泡音が発生せず、静かな環境でよりリラックスして噴流マッサージを受けることができる。特に空気を混入する際に発生する気泡混入時の気液混合音は、大気との連通口を通して浴槽装置外へ伝播するが、本発明実施形態では、大気との連通口自身がないため、静かな環境でよりリラックスして噴流マッサージを受けることができる。
【００５２】
気泡混入の有無を切り替えたり気泡混入量を調整するバルブを設け、そのバルブを閉じて気泡が噴流に混入しないようにしたとしても、バルブ内に残存した空気が配管内に引き込まれ発泡音を発生させる場合がある。しかし、本実施形態では、浴槽水の循環流路内に空気を取り込む構成自体がなく、当然前述したようなバルブもないため、そのバルブ内に残存する空気に起因する騒音も発生しない。
【００５３】
このように、噴流ノズル１１は、実質気泡を有しない噴流を浴槽水中に噴出する。ここで、「実質気泡を有しない噴流」とは、直径が数十μｍ以下の気泡（マイクロバブル、ナノバブル等）は噴流に含まれてもよいことを意味する。そのような直径が数十μｍ以下の気泡が噴流に含まれたとしても、含まれない場合に比べてほとんど騒音レベルは変わらず静かであり、騒音レベルの点から実質気泡が含まれていないとみなせる。
【００５４】
噴流ノズル１１は、前述したように、変化に富んだ刺激感のある噴流（本実施形態では、不規則な周期の旋回噴流）の噴出を実現する。しかも、そのような噴流を実現するにあたっては、気泡混入がなく、可動・摺動部分もないため、静かな噴流を実現できる。
【００５５】
しかし、噴流の静音化は、今までは噴流音にまぎれてあまり気にならなかったポンプ７の駆動音の顕在化をまねき、噴流音を抑えるだけでは静音状態でのリラックスした噴流浴の実現には不十分である。
【００５６】
そこで、本実施形態では、図４を参照して前述したように、ポンプ７の駆動音抑制手段として、短辺側浴槽壁４ａの外壁面に防音部材３５を設け、ポンプ架台４０と床パン１０２との間に防振部材４５を設けている。
【００５７】
防音部材３５によって、短辺側浴槽壁４ａとポンプ７との間が隔てられ、ポンプ７の駆動音が短辺側浴槽壁４ａに背をもたれて入浴する入浴者に伝わるのを抑制する。また、防振部材４５は、ポンプ７の駆動に伴う振動を遮断または吸収し、振動が、床パン１０２に伝わるのを抑制し、さらには床パン１０２を介して浴槽本体１側、すなわち入浴者に伝わるのを抑制する。
【００５８】
これにより、入浴者は、静音状態で、変化に富んだ刺激感のある噴流マッサージを受けることができる。ここでの、「静音状態」とは、短辺側浴槽壁４ａに背をもたれて入浴した入浴者の耳の位置に相当する測音点（浴槽リム２からの高さが２００ｍｍであって、短辺側浴槽壁４ａの短辺方向の中心から他方の短辺側浴槽壁４ｂ側に１５０ｍｍであって、短辺方向の中心から一対の長辺側浴槽壁３ａ、３ｂのいずれか一方側に２００ｍｍ寄った位置）にて、JISC1505規格の精密騒音計を用い、動特性をＦＡＳＴ、測定周波数範囲を１／３オクターブ、騒音値を人間の聴感に近くなるように補正したＡレンジとした場合における、１０秒測定時の等価騒音レベル（ＬＡｅｑ）が５５ｄＢ以下であることを意味する。この騒音レベル以下であれば、ポンプ駆動音や噴流音を意識せずに入浴を行え、また、浴室内で音楽、ラジオ、テレビ等の音を聴くのに妨げにならない。
【００５９】
気泡混入噴流を噴出させ、ポンプ駆動音の抑制手段も設けなかった場合には、上記と同じ測音点で同様に測定した等価騒音レベルが６５ｄＢであった。
【００６０】
これに対して、前述した噴流ノズル１１を用いて気泡無し噴流を噴出させ、且つ図４に表すように、短辺側浴槽壁４ａとポンプ７との間に発泡スチロールからなる防音部材３５を介在させた本実施形態の場合では、測定騒音レベルが４７ｄＢであり、十分、静かでリラックスできる環境であった。また、入浴者は静かでリラックスすることができるために、噴流の動きをより敏感に感じることができ、手もみ感や指圧感を感受しやすくなり、マッサージ効果が高まる。
【００６１】
なお、静音化によって、入浴者に対しての騒音抑制がなされるだけでなく、浴室外への騒音もれも抑制することができる。特に集合住宅などでは、隣室や階下への騒音もれに気兼ねすることなく噴流浴を楽しめる。
【００６２】
浴室外への騒音もれを抑制するには、図９に表すように、ポンプ７の上方及び周囲を囲むように防音部材６５を設けることが効果的である。あるいは、ポンプ７の設置空間（リム下空間）を囲む部分（リム２の裏側、床パン１０２上面、短辺側浴槽壁４ａの外壁面、浴室壁１０４、１０５の内壁面、エプロン１０３）に防音部材を設けることでポンプ７の周囲を防音部材で囲むようにしてもよい。
【００６３】
以上説明した本実施形態において、噴流ノズル１１のチャンバー２５内静圧は、浴槽本体１に貯留された浴槽水の静圧より低く、チャンバー２５内部では下流側に向かって静圧が増加する逆圧力勾配が形成されるため、遮蔽体２７を設けなくても、主流の一部をチャンバー２５上流側に戻す還流を形成することは可能である。ただし、遮蔽体２７を設けた方が、逆静圧勾配（流れ方向に対して静圧が上昇）による還流形成に比べ、より安定した（確実性の増した）還流が形成されることから、噴流の旋回が安定する。
【００６４】
また、噴出口２６の手前（上流側）に傾斜面２８を設けなくても、前述したように主流がチャンバー２５内壁の周の一部に偏ることから偏向した噴流が実現されるが、傾斜面２８を設け、その傾斜面２８に主流を沿わせることで、主流の偏向を促進することができ、より広範囲にわたるやわらかな旋回噴流を形成しやすくなる。
【００６５】
流水導入部２２の内径は、流水導入口２１から流路断面収縮部２３にかけて略同じとしてもよい。ただし、図５に表す前述した実施形態のように、流水導入部２２の流路断面を、流水導入口２１から流路断面収縮部２３に向けて徐々に狭めることで、噴流ノズル１１内での圧力損失が小さくなり、噴出に際して大きな圧力を与えなくて済む。すなわち、ポンプ７を大きなものにしなくて済み、設置スペース及びコスト低減が図れる。
【００６６】
吸入口５の数は１つに限らず複数設けてもよい。噴流ノズル１１は２つに限らず、１つの噴流ノズル１１を短辺側浴槽壁４ａに設けてもよい。もちろん、３つ以上の噴流ノズル１１を設けてもよい。
【００６７】
噴流ノズル１１は、略円筒形状のみに限定されるものではなく、略楕円筒形状であってもよい。あるいは、断面矩形状の噴流ノズルを用いてもよい。
【００６８】
図１０（ａ）は断面矩形状の噴流ノズルの一例を表す模式断面図であり、図１０（ｂ）は図１０（ａ）におけるＣ−Ｃ断面図である。
【００６９】
流水導入口５１と噴出口５６との間の筒体５０内部には、上流側（流水導入口５１側）から順に、流水導入部５２、流路断面収縮部５３、チャンバー５５が設けられ、これらを介して流水導入口５１と噴出口５６との間は連通している。
【００７０】
流水導入部５２は、流水導入口５１と流路断面収縮部５３との間に設けられ、その流路断面は流水導入口５１から流路断面収縮部５３に向かうにしたがって徐々に狭められている。流路断面収縮部５３は、筒体５０の軸中心に位置し、流水導入口５１及び流水導入部５２に対して流路断面が縮小されている。
【００７１】
流路断面収縮部５３の下流側には、流路断面収縮部５３に対して流路断面が急拡大された流路断面急拡大部５４を一端部（上流側端部）に有するチャンバー５５が設けられている。チャンバー５５は、流路断面急拡大部５４の内径寸法のまま噴出口５６近傍まで続いている。
【００７２】
流路断面収縮部５３から流路断面急拡大部５４にかけての筒体５０内空間を囲む壁面は鋭角状に変化し、流路断面急拡大部５４として機能するチャンバー５５の上流側端部の壁面は、軸方向に対して略垂直となっている。この噴流ノズルにおいても、流路断面収縮部５３から流路断面急拡大部５４にかけての流路壁面の急変化により、流路断面急拡大部５４にて壁面からの流れの剥離が生じる。
【００７３】
噴出口５６及びチャンバー５５は、図１０（ｂ）に表すように、矩形状に形成されている。流水導入部５２は円錐台形状に形成され、その上流端と下流端にそれぞれ形成された流水導入口５１と流路断面収縮部５３は円形状に形成されている。
【００７４】
この噴流ノズルにおいても、前述した噴流ノズル１１と同様に、流路断面収縮部５３からチャンバー５５内に流入する際に流路断面の急拡大により、流路壁面に対しての流れの剥離が生じ、さらにチャンバー５５の内壁面の周の一部に流れが再付着し、チャンバー５５内壁面に付着した主流は、そのままチャンバー５５内壁面に沿って噴出口５６に向かって流れ、噴出口５６の手前（上流側）で軸中心に対して傾斜した噴流として噴出口５６から浴槽水中に噴出する。
【００７５】
流路断面収縮部５３に比べて噴出口５６の流路断面が大きく、流れは下流に向かって減速、すなわち、チャンバー５５内部では下流に向かって静圧が増加する逆圧力勾配が形成されることによって、主流の一部は噴出口５６から噴出されず、チャンバー５５の上流側に戻される。また、前述した噴流ノズル１１と同様にチャンバー５５内に流路の一部を遮るように遮蔽体を設けることで、上流側に戻される流れを促進してもよい。
【００７６】
その上流側に戻された流れが、流路断面急拡大部５４付近にて主流が剥離したよどみ領域に流れ込み、本具体例のチャンバー５５は矩形状に形成されていることから、流路断面急拡大部５４付近にて、主流の内壁面に対する再付着位置が矩形断面長手方向で変化し、矩形状の噴出口５６からは矩形長手方向に往復するよう振れる噴流が噴出される。
【００７７】
この図１０に表す噴流ノズルにおいて、流路断面収縮部５３の内径ｄ＝８．３（ｍｍ）、噴出口５６の長手方向寸法（チャンバー５５の断面における長手方向寸法に等しい）Ｄｏｕｔ＝３４（ｍｍ）、チャンバー５５の長さＬ＝７６．６（ｍｍ）、噴出口５６の短辺方向寸法（チャンバー５５の断面における短辺方向寸法に等しい）幅Ｗ＝１４（ｍｍ）とした場合に、供給流量を２５〜４５（リットル／分）で、前述したような噴出口５６の長手方向に往復して振れるような噴流の噴出を確認できた。
【００７８】
この噴流ノズルにおいても、内部に導入された浴槽水自らのチャンバー５５内での還流作用によって、噴出方向を自励的に変化させる変化に富んだ噴流が実現される。この噴出動作に際して噴流ノズル内部では、導入された加圧浴槽水のみが流動し、噴流ノズル自体には可動部や摺動部がなく、また、それら部品を可動させるためモータも不要であり、モータ駆動音、部品の可動・摺動音が発生せず、静音化できる。また、可動・摺動部分における摩耗やゴミ詰まりなどによる旋回性能低下の心配もない。
【００７９】
また、噴流に気泡を混入しないため、空気が浴槽水の循環流路内に取り込まれる際の音や、気泡発泡音が発生せず、静かな環境でよりリラックスして噴流マッサージを受けることができる。
【図面の簡単な説明】
【００８０】
【図１】本発明の実施形態に係るマッサージ装置付き浴槽装置が設置された浴室内の模式図。
【図２】本発明の実施形態に係るマッサージ装置付き浴槽装置の概略構成を表す模式平面図。
【図３】同マッサージ装置付き浴槽装置において浴槽本体を側面方向から見た模式図。
【図４】同マッサージ装置付き浴槽装置において加圧装置が設置された浴槽リム下を表す模式図。
【図５】（ａ）は、同マッサージ装置付き浴槽装置における噴流ノズルの模式断面図であり、（ｂ）は、（ａ）におけるＡ−Ａ断面図。
【図６】同噴流ノズルにおける遮蔽体部分の断面図であり、（ｂ）は図５（ａ）におけるＢ−Ｂ断面図。
【図７】同噴流ノズルにて旋回噴流が形成される様子を説明するための模式図。
【図８】噴出流に気泡を混入させて噴出流を可視化した状態で、同噴流ノズルから旋回噴流を噴出させた様子を表す写真図。
【図９】駆動音抑制手段の他の具体例を表す模式図。
【図１０】（ａ）は噴流ノズルの他の具体例を表す模式断面図であり、（ｂ）は（ａ）におけるＣ−Ｃ断面図。
【符号の説明】
【００８１】
１…浴槽本体、５…吸入口、７…加圧装置（ポンプ）、１１…噴流ノズル、２２…流水導入部、２３…流路断面収縮部、２４…流路断面急拡大部、２５…チャンバー、２６…噴出口、２７…遮蔽体、３５，４５，６５…駆動音抑制手段
【図１】
2008264282.tif 000003
【図２】
2008264282.tif 000004
【図３】
2008264282.tif 000005
【図４】
2008264282.tif 000006
【図５】
2008264282.tif 000007
【図６】
2008264282.tif 000008
【図７】
2008264282.tif 000009
【図９】
2008264282.tif 000010
【図１０】
2008264282.tif 000011
【図８】
2008264282.tif 000012